(57)【特許請求の範囲】
【請求項１】
熱可塑性合成樹脂からなるシート材面に突出せしめた複数の縦方向及び横方向の仕切り壁を形成して、前記縦横の仕切り壁間に物品を収容するための凹部を一体に区画形成すると共に、縦方向の仕切り壁の端部に物品等の表示部を形成してなる中仕切り板に於いて、中仕切り板の一端部には、物品等を表示する表示部を突出せしめて形成すると共に、前記縦方向の仕切り壁は、その端部が前記表示部の側面に直接に連結されずに自由端状に形成されてなり、前記縦方向の仕切り壁の頂壁面に複数の窪みを形成してなることを特徴とする物品包装用箱体の中仕切り板。
【請求項２】
熱可塑性合成樹脂からなるシート材面に突出せしめた複数の縦方向及び横方向の仕切り壁を形成して、前記縦横の仕切り壁間に物品を収容するための凹部を一体に区画形成すると共に、縦方向の仕切り壁の端部に物品等の表示部を形成してなる中仕切り板に於いて、中仕切り板の一端部には、物品等を表示する表示部を突出せしめて形成すると共に、前記縦方向の仕切り壁は、その端部が前記表示部の側面に直接に連結されずに自由端状に形成されてなり、前記凹部の底面に窪みを設けると共に、該窪み部分にスリットを形成してなることを特徴とする物品包装用箱体の中仕切り板。
【請求項３】
前記縦方向の仕切り壁は、その端部が前記表示部の側面に接する部分は傾斜面となした自由端に形成され、また、横方向の仕切り壁に接する部分は溝部に形成されてなり、前記溝部は、縦方向の仕切り壁を形成する外側壁と横方向の仕切り壁とが接する部分に形成されてなることを特徴とする請求項１または２に記載した物品包装用箱体の中仕切り板。
【請求項４】
前記溝部は、縦方向の仕切り壁の端部が傾斜した略Ｖ字状に形成されてなることを特徴とする請求項３に記載した物品包装用箱体の中仕切り板。
【請求項５】
前記横方向の仕切り壁は、その頂壁部が縦方向の仕切り壁の頂壁部よりも高く突出するように形成してなることを特徴とする請求項１乃至４のいずれか１項に記載した物品包装用箱体の中仕切り板。
【請求項６】
前記中仕切り板は、ポリエチレンテレフタレート樹脂シート材または再生ポリエチレンテレフタレート樹脂シート材を用いて構成されてなることを特徴とする請求項１乃至５のいずれか１項に記載した物品包装用箱体の中仕切り板。
【発明の詳細な説明】
【０００１】
【発明の属する技術分野】
本発明は、飲食物の壜詰や缶詰、あるいは、ビールやジュース等を缶詰にした物品を段ボール等の包装用の箱体に収納して贈答品として包装する際に、包装した品物が包装箱の内部で衝突したり、片寄ったりしないように仕切って固定しておくための合成樹脂シート材からなる中仕切り板、特に、ポリエチレンテレフタレート樹脂（ＰＥＴ）シート材、あるいは、再生ＰＥＴ樹脂からなるシート材を用いて成形した物品包装用の中仕切り板に関するものである。
【０００２】
【従来の技術】
従来から缶詰等の小型の物品を幾つかまとめて包装するには、包装用の箱体内に複数の物品を整列状に収容して包装するが、その際に収容した物品が包装箱内で動いて衝突して変形したり、割れたりしないように、あるいは、片寄ったりすることがないように固定するために中仕切りを用いて、各物品は一個づつ固定した状態で包装される。
そして、このように物品を一個づつ固定するには、箱体内に装着した中仕切り体に区画された収納凹部に各物品を整列した状態に収納して包装する方法が一般に採用されている。
【０００３】
上記のような状態にして品物を包装するのに用いられる中仕切り体としては、一般的には、段ボール紙を用いて収納凹部を形成した仕切り板、または、おが屑や綿状物または砕片状の緩衝材等を用いて収納部を形成した仕切り材を用いて、物品が移動しないように固定してから包装する方法が多用されてきた。
前者のように段ボール紙からなる仕切り板を用いて品物を包装するには、実公昭５１−４６２１３号公報や実開昭５６−３８０５８号公報に記載されるように、段ボール紙を細長く裁断した横方向の仕切り片と縦方向の仕切り片とに縦横に組み合わせるための係合溝を形成しておいてから、両裁断片を係合溝部で十字状に直交するように係合、固定して、縦横の仕切り片の間に形成される区画室を有する仕切り板に成形したものが知られている。
【０００４】
しかし、このようにして形成した段ボール紙製の中仕切り板は、その構造上からある程度の機械的強度と緩衝性は備えているが、板状の段ボール紙を細長い短冊状に裁断して中仕切り体に加工するための工程が複雑であるから、人件費やその他の面から生産コストが嵩む要因にもなっている。
また、後者のようなおが屑や綿状その他の緩衝材等からなる仕切り材を用いて包装するには、緩衝材で物品を一つ一つくるまなくてはならず、また、緩衝材は散らかり易いので、後片付け等が面倒で効率的ではない。
【０００５】
そこで、近年は上記のような段ボール紙を用いた仕切り板に代わるものとして、実開昭５７−１４３１８３号公報や特開昭６２−１８２４１号公報に記載されているようなポリエチレンや塩化ビニール等の熱可塑性合成樹脂を用いた中仕切り板が知られており、これらは材料が安価であり、その成形工程も簡単であることから生産コストを低減できるという利点があることから多用されている。
上記のような熱可塑性合成樹脂製の中仕切り板を成形するには、塩化ビニール等の合成樹脂からなる軟質性のシート材を加熱、軟化せしめて、シートブローあるいは真空成形その他の加圧成形法により横方向と縦方向との仕切り壁が上方へ突出せしめた同時成形を行うと共に、該仕切り壁により画成される物品を収納するための凹部を一体に形成して、トレイ状をした中仕切り板に成形する。
【０００６】
しかし、このような従来の合成樹脂製の中仕切り板は、塩化ビニールやポリエチレン等の軟質シート材から形成されたものが一般的であり、お菓子やその他の軽量な品物の包装には適しているが、缶詰や壜詰等のやや重量がある品物を包装するのにそのまま転用した場合には、輸送や搬送中に荷崩れを起こして箱体が転倒して投げ出されたり、あるいは、包装体の不用意な取扱により人手から滑り落ちて硬い床面等に落下したりして、箱体が大きな衝撃力を受けると、柔軟な材質の中仕切り板では衝撃を充分に受止めることができずに、中仕切り板の横方向の仕切り壁や縦方向の仕切り壁と交錯する部分やその近傍が変形したり、破損したりして、品物が所定位置から移動して缶同志がぶっつかりあって缶の表面に変形が生じたりするような欠点があつた。
【０００７】
また、近年の社会生活の向上につれて、色々な製品の大量生産による大量消費が行われるようになり、それに伴って発生する大量の廃棄物とその処理が社会的な環境問題を引き起こすことにもなり、その結果、資源の無駄遣いを避けること点からも、これらの廃棄物を再生利用が求められるようになってきた。
このような社会情勢の中で、合成樹脂容器に関するリサイクル法が実施されるようになり、使用済みとなった大量の空容器を回収しなければならなくなるという事態が発生している。
【０００８】
そうした中で、回収、再利用が容器だけではなく、包装材一般についても例外なく回収して再利用するとが考えられるようになって、包装箱等に使用されている段ボール紙については再生使用が計られている。
しかし、前記したような中仕切りに使用されている段ボール製の仕切り板は、小さく裁断して作られているので、箱等に比べて回収するのが面倒で、且つ、再生利用するには回収量も少なくて、費用がかかることから殆どが焼却処分に付されているのが現状である。
【０００９】
そして、前記したような従来の合成樹脂製のトレイ状の仕切り板は、シートブロー成形等により簡単に成形することができて、安価に製造することができる反面、使用済みとなって廃棄された中仕切り板を焼却処理に付した場合には、塩素ガスやダイオキシンその他の有害物質が発生したり、また、高い燃焼熱を発生して焼却炉壁を傷めたりする等の種々の問題になる点がある。
また、飲料用の中空容器として現在最も大量に使用されているポリエチレンテフタレート（ＰＥＴ）樹脂容器については、大量に回収されて、色々なものに再生利用することが行われようとしている中で、容器の生産に携わる者にとっては如何にして効率良く適切に再生利用したらよいか、その利用方法を開発することが求められている。
【００１０】
そこで、このような従来の合成樹脂製の中仕切り板が有する色々な問題点をなくすことについて検討を重ねた結果、それには可塑剤等の不純物を含まないので焼却処理による有害な燃焼ガスの発生もなく、また、焼却処理時に高温度の燃焼熱を発生することもなくて、且つ、機械的な強度を備えたポリエチレンテレフタレート（ＰＥＴ）樹脂を用いた中仕切り板を形成すればよいとの結論に達して、図４に示したような構造をした中仕切り板を、出願人は先に提案している。
【００１１】
上記の中仕切り板４１を箱体内に装着して缶ビールや缶ジュース等を包装した包装箱体が水平方向に落下した場合には、品物の支持する底面４４が広く、且つ、衝撃吸収性も良好であって、仕切り壁４２，４３に加わる衝撃力にも耐えることができて問題が発生しなかった。
また、横方向に落下した場合にも、缶胴部分が中仕切り板の区画室の底壁面及び側壁曲面の比較的に広い面に密接していて、横方向の仕切り壁４２に加わる衝撃力も一点に集中することもなくて緩和されて、包装された品物には全く異常が認められなかった。
【００１２】
しかし、縦方向に落下して強い衝撃力を受けた場合には、缶底の狭い部分で中仕切り板の横方向の仕切り壁４２に支持されていて、物品に加えられる衝撃力は集中的に受け易くて、大きな落下の衝撃力となつて横方向の仕切り壁に作用してひび割れ４６が発生することがあり、また、交錯部分４５の近傍や縦方向の仕切り壁４３にも変形やひび割れ等の現象が生ずることがある。
このような落下時の衝撃力による仕切り壁の変形やひび割れを防止する最も簡単な解決手段は、中仕切り板の肉厚を厚くして剛性を持たせれば落下時の衝撃荷重に耐えことができるが、それにはより多くの樹脂材料を必要とすることになり、中仕切り板の重量も増して省資源化に反すると同時に、コストアップや廃棄物の増大をもたらすことにもなる。
【００１３】
そこで、上記のような変形やひび割れ等が発生する原因について検討した結果、ＰＥＴ樹脂からなるシート材を加工した際の延伸量の不足によるものであることから、ＰＥＴ樹脂のシート材に大きな延伸加工を施してやれば機械的な強度を増した中仕切り板を得られることが分かった。
そこで、図５に示すように、中仕切り板５１の中央部分に設けられる縦方向の仕切り壁５３及び横方向の仕切り壁５２を、従来のように連続して形成した状態に形成せずに、縦方向の仕切り壁５３は途中の複数部分で分断された構造となして、また、横方向の仕切り壁５２も途中で分断された状態にして、その分断された自由端部５２ａ，５２ｂ及び５２ｅ，５２ｆを、前記縦方向の仕切り壁の分断された凹部に段違い状に平行に並んだ構造となして、前記仕切り壁部に大きな延伸操作を施して強化した中仕切り板が提案されている。
【００１４】
上記のような構造に形成した中仕切り板５１は、仕切り壁が途中で分断された不連続状態で凹凸状に形成されて、樹脂シート材がより大きく延伸配向されているので、機械的な強度が強化されると同時に、仕切り壁の端部が可撓性のある自由端の構造になっているので、該中仕切り板５１に物品を収容して包装した箱体が、縦方向の強い衝撃を受けたとしても、横方向の仕切り壁５２は端部１２ａ，１２ｂ，・・・が無理なく撓むことが可能であるから、包装された品物の底面を介して受ける衝撃力は吸収、分散されて一箇所に集中荷重がかかることもなく、また、縦方向の仕切り壁５３にも直接に強い衝撃力が及ぶこともない。
【００１５】
しかし、このような高い機械的強度と柔軟性とを備えた中仕切り板は、衝撃力に対して充分な強さの機械的強度を有するものではあるが、贈答品として包装する場合の商品名や商標名等が表示される部分を設けてなくて、また、その形状が複雑な構造をしているので、加熱、軟化せしめたシート材をシートブローその他の加圧成形法により従来と同様に成形するには、その成形金型が複雑な形状をしたものにしなければならず、そのような成形金型を製作するには高度の技術と精度を要するので製造コストが若干高くならざるを得ない等の問題点がある。
【００１６】
そこで、図４に示すような構造が簡単な従来の中仕切り板を基本形として、高い機械的強度と柔軟性とを備えた中仕切り板を形成するために、横方向の仕切り壁が縦方向の仕切り壁よりも頂壁が高くなるように形成して、高い延伸効果を有する中仕切り板に形成すると共に、構造的に最も集中荷重がかかり易い横方向と縦方向との仕切り壁とが交差する付近に亀裂が発生しないように可撓性がある構造にして、例え包装体が縦方向の強い衝撃力を受けたとしても、内部に収容された缶の底部等の狭い部分に加わる衝撃力を集中的に受け易い壁部分が変形や破損が生じないで、簡単な構造をした中仕切り板をＰＥＴ樹脂または再生ＰＥＴ樹脂を用いて成形されたものが実現することが期待されている。
【００１７】
【発明が解決しようとする課題】
本願発明は、熱可塑性樹脂、中でも、公害性のないポリエチレンテレフタレート（ＰＥＴ）樹脂、または、再生ＰＥＴ樹脂から成形したＰＥＴ樹脂シート材を用いて耐衝撃性に優れていて、簡単な構造をした包装用箱体の中仕切り板を形成すると共に、該中仕切り板の構造を従来の成形装置を用いて容易に成形できるように簡単な形状にして、且つ、包装体の落下時に集中荷重がかかり易い縦方向と横方向との仕切り壁とが充分に延伸成形された構造に形成して、箱体が落下や荷崩れを起こした際に衝撃力を吸収して、仕切り壁が交差する付近に亀裂が発生しないようにした包装用の中仕切り板を提供することを目的とする。
【００１８】
【課題を解決するための手段】
熱可塑性合成樹脂、特にポリエチレンテレフタレート（ＰＥＴ）樹脂、または、再生ＰＥＴ樹脂から成形してなるシート材を使用した耐衝撃性に優れていて、構造が簡単な包装用箱体の中仕切り板を形成するために、縦方向及び横方向の仕切り壁部分が充分に延伸成形されるように、前記ＰＥＴ樹脂シート材を延伸成形が可能な温度に加熱、軟化せしめて仕切り壁を成形する際に、横方向の仕切り壁部分を縦方向の仕切り壁部分よりも高くなるように延伸された形状にして、また、縦方向の仕切り壁の端部が商品名等の表示部に接しないように自由端となるように形成すると共に、縦方向の仕切り壁の頂壁面に窪みを設けて可撓性を備えた構造にすることにより、強い落下衝撃に充分に耐え得る構造をした中仕切り板を形成する。
【００１９】
【発明の実施の形態】
ポリエチレンテレフタレート（ＰＥＴ）樹脂から成形されてなるシート材を、延伸成形が可能な温度に加熱、軟化せしめて、シートブロー成形その他の周知の成形方法によりトレイ状に成形した包装用の中仕切り板に於いて、品物を収容するための区画室４を形成する縦及び横方向の仕切り壁２，３の内、最も集中荷重を受け易い横方向の仕切り壁部２を縦方向の仕切り壁部３よりも高く突出せしめて形成して、また、縦方向の仕切り壁３が商品表示部に接する端部は壁面に直接に連結しないように傾斜するように形成した自由端３ａとなすと共に、該縦方向の仕切り壁３の頂壁面に窪み３ｂを設けて仕切り壁に可撓性を持たせた構造にして、耐衝撃性に優れた中仕切り板１を形成する。
【００２０】
【実施例】
本願の発明に関して、最適な一つの実施例に基づいて、図面を参照しつつ説明する。
図１に示すものは、本願の発明の中仕切り板１を包装用の箱Ｂ内に装着したものであり、前記中仕切り板１は、ＰＥＴ樹脂を用いて成形されてなるシート材をシートブロー成形その他の周知の成形方法により延伸成形したものである。
前記中仕切り板１には、図１及び図２に示すように、縦方向の仕切り壁３と横方向の仕切り壁２とで区画された缶詰め等の物品を収容するのに適した凹部４が形成されていて、該凹部４の底壁面は湾曲した曲面状に形成されると共に緩衝用の窪み４ａが設けられていて、該緩衝用の窪み４ａの中央部分には空気抜きのためのスリット４ｂが形成されていて、また、仕切り板の上辺部（または下辺部）には商品名やその他を表示する表示部７が突設されている。
【００２１】
そして、前記横方向の仕切り壁２は、前記縦方向の仕切り壁３の頂壁面よりも高くなるように形成されて、その両端部は角部をなくした傾斜状に形成されており、また、前記縦方向の仕切り壁３の表示部７側の端部は、傾斜面をなした自由端３ａ状に形成されて、表示部７の側壁面７ａに直接に連結せずに底壁面で連結されており、更に、縦方向の仕切り壁３の頂壁の一部には小さな窪み３ｂが複数箇所に形成されている。
また、縦方向の一つの仕切り壁を構成する側壁５が横方向の仕切り壁２に接する端部も傾斜面をなした自由端５ａ状に形成されて、底壁面で連結されており、側壁５部に於ける横方向の仕切り壁２の両側には略Ｖ字状の溝５ａが形成された構造になっている。
【００２２】
上記のような構造に成形した本願発明のＰＥＴ樹脂からなる中仕切り板１は、横方向の仕切り壁２が縦方向の仕切り壁３よりも高くなるように形成され、また、縦方向の仕切り壁３の頂壁面には窪み３ｂを形成されているから、ＰＥＴ樹脂からなるシート材をシートブロー成形法により成形する際に、シート材に対する縦横の仕切り壁部の延伸量が大きくなるように延伸加工を施すことができる。
従って、上記のように形成された本願発明の中仕切り板１は、図４に示したような構造をした従来の仕切り板４１に比べて、仕切り壁部の延伸量が大きくて、機械的な強度が高くなって、耐衝撃力も大きくなっている。
【００２３】
また、縦方向の仕切り壁３の一端部が商品名等の表示部７に接する側の端部は、縦方向の仕切り壁３は表示部７の側壁面に直接に連結されずに、傾斜面状をなした自由端３ａに形成されていて、また、縦方向の仕切り壁３の頂壁面には小さな窪み３ｂが形成されていて、更に、横方向の仕切り壁２が縦方向の外側壁５に連接する部分にはＶ字状溝が設けられているので、これら縦横の仕切り壁２，３はいずれも延伸効果と可撓性が付与されており、従って、本願発明のＰＥＴ樹脂からなる中仕切り板１は、大きな衝撃力に対しても、高い耐衝撃性と充分な衝撃吸収性を有する構造になっている。
上記のＶ字状の溝は、縦横の仕切り壁を直接連結にしないで、柔軟性を持たせるためのものであって、整形時の型抜きに支障がないような形状であれば、Ｕ字状やコの字状等の色々な形状が可能である。
【００２４】
従って、このような構造をした本願発明の仕切り板１は、例え縦方向に大きな衝撃力を受けたとしても、応力が最も集中し易い部分である中央部近傍の仕切り壁は、従来のものに比べて横方向の仕切り壁２が高く形成されていて、品物の底部を受け止める受圧面も広く形成されると共に、延伸率を大きくして耐衝撃強度が強化された構造になっており、また、縦方向の仕切り壁３は可撓性を高められているので、仕切り壁が変形したり、ひび割れ等の破損が生ずる恐れもない。
【００２５】
上記のような構造に形成した本願発明の包装用の中仕切り板１は、包装用の箱体Ｂ内に装着されて、物品収容凹部４にビール等の缶詰Ａが収容されてから蓋体を被せて包装されるが、この時収容凹部４の底面には、緩衝用の窪み４ａと空気抜きのためのスリット４ｂが形成されているので、缶詰Ａの壁面を傷つけることもなくスムーズに凹部４内に収容することができる。
そして、このようにして本願発明の包装用の中仕切り板１を用いて包装された包装体は、移送中に荷崩れを起こしたり、手元から滑り落ちたりして、大きな衝撃を受けたとしても、包装体中の品物に加えられる衝撃力を全て吸収することが可能であるから、品物が傷つくようなことがない。
【００２６】
尚、上記のような構造にした中仕切り板１に於いて、本願の実施例を示した図面には、縦方向の仕切り壁３の頂壁面に設ける窪み３ｂが、表示部７側に中央の仕切り壁にだけ、また、表示部７側とは反対の部分には端部近くにだけ形成されているが、中仕切り板の大きさや収容凹部４の個数、形状等に合わせて、最適と考えられる部分に適宜の数や大きさのものを形成することは可能である。
同様に、縦方向の仕切り壁３の端部を傾斜面に形成した自由端３ａ及び縦方向の仕切り壁３の横方向の仕切り壁２に連接する部分にＶ字溝を形成した点についても、実施例のような場所に限定されるものではなくて、中仕切り板の大きさや形状に応じて、適宜の場所に必要とする数だけ設けることは許される。
【００２７】
【発明の効果】
本願発明は、包装用の中仕切り板をＰＥＴ樹脂からなるシート材を用いて成形するのに、仕切り壁、特に横方向の仕切り壁を縦方向の仕切り壁よりも頂壁が高くなるように形成したので、仕切り壁部分には大きな延伸操作が施されているので、仕切り壁の機械的強度は従来のものに比してより強いものとなり、包装体が荷崩れや落下等により縦方向に大きな衝撃を受けた場合にも、包装体内の品物の底部を支持する受圧面積が広くて、耐衝撃強度も大きなものになっている。
【００２８】
また、縦方向に延びる仕切り壁が横方向に延びた表示部や仕切り壁に接する端部を自由端にすると共にＶ状溝に形成したので、大きな衝撃力に対して柔軟性を持って耐えることができて、構造もあまり複雑ではないので、安価に製造することができる。
更に、本願の発明の中仕切り板の成形には、ＰＥＴ樹脂を再生利用したシート材を用いて成形することが可能であるから、省資源、省エネルギー等の社会的要求にも答えることができる。
【図面の簡単な説明】
【図１】本発明の包装用中仕切り板を包装箱内に装着した状態を示す斜視図である。
【図２】本発明の包装用中仕切り板の平面図（ａ）と横方向の側面図（ｂ）である。
【図３】図２示す包装用中仕切り板の縦方向の側面図である。
【図４】従来のＰＥＴ樹脂からなる包装用中仕切り板を示す図である。
【図５】本発明の先行例である包装用中仕切り板を示す図である。
【符号の説明】
１．中仕切り板
２．横方向の仕切り壁
３．縦方向の仕切り壁
３ａ．自由端
３ｂ．窪み
４．収容凹部
４ａ．緩衝用窪み
４ｂ．スリット
５．縦方向の外側壁
５ａ．自由端
Ａ．収納物品
Ｂ．箱体
【図１】
0003778767.tif 000002
【図２】
0003778767.tif 000003
【図３】
0003778767.tif 000004
【図４】
0003778767.tif 000005
【図５】
0003778767.tif 000006